(57)【要約】      （修正有）【課題】バリアフリー性・清掃性・意匠性を高めた二重サッシ装置を提供する。【解決手段】建物の室内外方向に間隔が隔てられた外枠２及び内枠３とこれらを繋ぐ中間枠４とから成り、内枠の下枠３２と中間枠の下枠４２とが一体形成され、その中枠の下枠と外枠の下枠２２とが第１シール部材２５を挟んで固定された二重サッシ枠５と、外窓障子１０と、内窓障子１０ｘと、内枠３の下枠３２の上面に形成された内枠平坦面部１１ｘと、内枠案内溝１２ｘと、内窓障子垂下片１３ｘと、中間枠４の下枠４２の上面に滑らかに形成された中間枠平坦面部４６とを備え、上記各下枠の内部の底面に沿って内枠側から外枠側へ結露水を流すための排水通路が形成され、中間枠平坦面部４６が外枠２の下枠２２の室内側の側面との間をシールする第２シール部材を有し、該第２シール部材と第１シール部材２５との間に上記排水通路が配置されている。【選択図】図２
2011236736.tif 000002
【特許請求の範囲】
【請求項１】
建物の室内外方向に間隔が隔てられた外枠及び内枠とこれらを繋ぐ中間枠とから成り、内枠の下枠と中間枠の下枠とが一体形成され、その中間枠の下枠と外枠の下枠とが第１シール部材を挟んで固着具で固定された二重サッシ枠と、上記外枠に左右スライド可能に装着された外窓障子と、上記内枠に左右スライド可能に装着された内窓障子と、上記内枠の下枠の上面に形成された内枠平坦面部と、該内枠平坦面部に上記内窓障子のスライド方向に沿って形成された内枠案内溝と、上記内窓障子に下方に延出して形成され上記内枠案内溝に挿入された内窓障子垂下片と、上記中間枠の下枠の上面に滑らかに形成された中間枠平坦面部とを備え、上記各下枠の内部の底面に沿って内枠側から外枠側へ結露水を流すための排水通路が形成され、上記中間枠平坦面部が外枠の下枠の室内側の側面との間をシールする第２シール部材を有し、該第２シール部材と上記第１シール部材との間に上記排水通路が配置されていることを特徴とする二重サッシ装置。
【請求項２】
上記外枠の下枠の室内側の側面が上記排水通路を構成する排水孔を有していることを特徴とする請求項１記載の二重サッシ装置。
【請求項３】
上記外枠の下枠の室内側の側面が上記中間枠平坦面部の室外側上面と略同じ高さとされていることを特徴とする請求項１記載の二重サッシ装置。
【発明の詳細な説明】
【技術分野】
【０００１】
本発明は、バリアフリー性を高めた二重サッシ装置に関する。
【背景技術】
【０００２】
二重サッシは、断熱性、遮音性等を高めるため、建物の室内外方向に室外側サッシと室内側サッシとを間隔を隔てて二重に配置したものである。従来、二重サッシ装置として、特許文献１、２に記載されているように、室外側サッシ枠の下枠の上面に、室外側サッシの戸車が係合される室外側レールを凸設し、室内側サッシ枠の下枠の上面に、室内側サッシの戸車が係合される室内側レールを凸設したものが知られている。
【先行技術文献】
【特許文献】
【０００３】
【特許文献１】特開平７−２２４５７７号公報
【特許文献２】実開昭５４−１７００４４号公報
【発明の概要】
【発明が解決しようとする課題】
【０００４】
しかし乍ら、上記二重サッシ装置においては、室外側サッシ枠の下枠の上面に室外側レールが突出し、室内側サッシ枠の下枠の上面に室内側レールが突出していることから、高齢者や車椅子等が通過する際に、これらレールを乗り越えなければならず、バリアフリー性が良くない。
【０００５】
また、従来の二重サッシ装置においては、室外側サッシ枠の下枠の上面と、室内側サッシ枠の下枠の上面とが、段差を介して接続されていたので、この点も高齢者や車椅子等に対するバリアフリー性を改善する余地がある。
【０００６】
また、レールが下枠の上面から突出しているので、掃除機や箒等で下枠の上面を清掃する際にレールが引っ掛かって清掃性が悪く、見た目（意匠性）も悪い。
【０００７】
そこで、本発明の目的は、バリアフリー性・清掃性・意匠性を高めた二重サッシ装置を提供することにある。
【課題を解決するための手段】
【０００８】
上記目的を達成するために本発明は、建物の室内外方向に間隔が隔てられた外枠及び内枠とこれらを繋ぐ中間枠とから成り、内枠の下枠と中間枠の下枠とが一体形成され、その中間枠の下枠と外枠の下枠とが第１シール部材を挟んで固着具で固定された二重サッシ枠と、上記外枠に左右スライド可能に装着された外窓障子と、上記内枠に左右スライド可能に装着された内窓障子と、上記内枠の下枠の上面に形成された内枠平坦面部と、該内枠平坦面部に上記内窓障子のスライド方向に沿って形成された内枠案内溝と、上記内窓障子に下方に延出して形成され上記内枠案内溝に挿入された内窓障子垂下片と、上記中間枠の下枠の上面に滑らかに形成された中間枠平坦面部とを備え、上記各下枠の内部の底面に沿って内枠側から外枠側へ結露水を流すための排水通路が形成され、上記中間枠平坦面部が外枠の下枠の室内側の側面との間をシールする第２シール部材を有し、該第２シール部材と上記第１シール部材との間に上記排水通路が配置されていることを特徴とする。
【０００９】
上記外枠の下枠の室内側の側面が上記排水通路を構成する排水孔を有していることが好ましい。
【００１０】
上記外枠の下枠の室内側の側面が上記中間枠平坦面部の室外側上面と略同じ高さとされていることが好ましい。
【発明の効果】
【００１１】
本発明によれば、二重サッシ枠の外枠と内枠との各下枠の上面が夫々平坦なノンレールサッシ構造となり、その外枠平坦面部と内枠平坦面部とが中間枠平坦面部によって滑らかに接続されているので、バリアフリー性・清掃性・意匠性が高まる。
【図面の簡単な説明】
【００１２】
【図１】本発明の好適実施形態を示す二重サッシ装置の正面図である。
【図２】上記二重サッシ装置の縦断面図である。
【図３】図２の部分拡大図である。
【図４】上記二重サッシ装置の横断面図である。
【図５】（ａ）は排水弁の排水時の断面図であり、（ｂ）は排水弁の風止時の断面図である。
【発明を実施するための形態】
【００１３】
本発明の好適実施形態を添付図面を用いて説明する。
【００１４】
図１〜図４に示すように、本実施形態に係る二重サッシ装置１は、外枠２と内枠３と中間枠４から成る二重サッシ枠５を有する。
【００１５】
二重サッシ枠５は、図２及び図４に示すように、外枠２と内枠３とが建物の室内外方向に間隔を隔てて配置され、それらの間に中間枠４が介在されて構成されている。外枠２は、上枠２１、下枠２２及び左右の縦枠２３、２３から矩形に形成され、内枠３は、上枠３１、下枠３２及び左右の縦枠３３、３３から矩形に形成され、中間枠４は、上枠４１、下枠４２及び左右の縦枠４３、４３から矩形に形成されている。この二重サッシ枠５は、図２及び図３に示すように、外枠２の下枠２２の上面２４が室外側床面６と面一になり、内枠３の下枠３２の上面３４が室内側床面７と面一になるように、建物に設置される。なお、図例では、室外側床面６が室内側床面７よりも低くなっているが、両床面６、７が同じ高さであってもよい。
【００１６】
二重サッシ枠５は、図例では、内枠３と中間枠４とが一体的に形成され、それに外枠２が装着されて構成されている。すなわち、図２に示すように、内枠３の上枠３１と中間枠４の上枠４１とがアルミ押し出し等で一体成形され、内枠３の下枠３２と中間枠４の下枠４２とが同様に一体成形され、図４に示すように、内枠３の縦枠３３と中間枠４の縦枠４３とが同様に一体成形されている。そして、図２に示すように、中間枠４の上枠４１及び下枠４２には、夫々左右方向に沿って横係合部４４が凹設され、内枠２の上枠２１及び下枠２２には、横係合部４４に係合される横被係合部（第１シール部材）２５が夫々左右方向に沿って凸設され、上枠２１、４１同士及び下枠２２、４２同士が夫々ボルト（ネジ）８で固定（気密に接続）されている。また、図４に示すように、中間枠４の左右の縦枠４３には、夫々上下方向に沿って縦係合部４５が凹設され、内枠２の左右の縦枠２３には、縦係合部４５に係合される縦被係合部２６が夫々上下方向に沿って凸設され、縦枠２３、４３同士がボルト９で固定されている。
【００１７】
また、本実施形態に係る二重サッシ装置１は、図１〜図４に示すように、二重サッシ枠５の外枠２に左右スライド可能に装着された外窓障子１０と、外枠２の下枠２２の上面２４に略平坦に形成された外枠平坦面部１１と、外枠平坦面部１１に外窓障子１０のスライド方向に沿って形成された外枠案内溝１２と、外窓障子１０に下方に延出して形成され外枠案内溝１２に挿入された外窓障子垂下片１３と、外窓障子１０の下部に設けられた外窓障子戸車１４と、外枠平坦面部１１に設けられ外窓障子戸車１４が走行する外枠走行面部１５とを備えている。
【００１８】
外窓障子１０は、図２及び図４に示すように、外枠２の室外側に配置された第１外窓障子１０１と外枠２の室内側に配置された第２外窓障子１０２とから構成され、これらが所謂引き違い障子となっている。但し、第１及び第２外窓障子１０１、１０２のいずれか一方を固定して片開き障子としても構わない。第１及び第２外窓障子１０１、１０２は、上框、下框、左右の立框及び中桟から日字状に形成された框体と、その内部に装着されたパネル（ガラス等）とから構成されている。
【００１９】
外枠平坦面部１１は、図３に示すように、外枠２の下枠２２の上面２４に形成されるものである。詳しくは、下枠２２の上面２４には、その長手方向に沿って凹部２７が形成されており、凹部２７には、第１カバー部材１１１と第２カバー部材１１２と第３カバー部材１１３とが着脱可能に嵌め込まれていて、これら第１〜第３カバー部材１１１、１１２、１１３が共同して外枠平坦面部１１を構成している。
【００２０】
第１カバー部材１１１の上面にはその長手方向に沿って窪み部が形成されているが、この窪み部には排水溝を兼ねた滑止め部材１１４が装着されることでその部分が略平坦となっている。同様に第２カバー部材１１２の上面にはその長手方向に沿って窪み部が形成されているが、この窪み部には滑止め部材１１５が装着されることでその部分が略平坦となっている。
【００２１】
図２及び図３に示すように、外枠案内溝１２は、第１外窓障子１０１用の第１外枠案内溝１２１と、第２外窓障子１０２用の第２外枠案内溝１２２とから成る。第１外枠案内溝１２１は、第１カバー部材１１１の上面と第３カバー部材１１３の上面との間に形成され、第２外枠案内溝１２２は、第２カバー部材１１２の上面と第３カバー部材１１３の上面との間に形成されている。
【００２２】
外窓障子垂下片１３は、第１外窓障子１０１の下框から下方に延出され第１外枠案内溝１２１に挿入された第１外窓障子垂下片１３１と、第２外窓障子１０２の下框から下方に延出され第２外枠案内溝１２２に挿入された第２外窓障子垂下片１３２とから成る。これら第１、第２外窓障子垂下片１３１、１３２は、第１、第２外窓障子１０１、１０２の幅寸法に合わせて形成されている。
【００２３】
図３に示すように、第１外窓障子垂下片１３１と第３カバー部材１１３との間は、第３カバー部材１１３に設けられたシール部材１１６によって封止されている。シール部材１１６は、第３カバー部材１１３の上面に繋げて形成された縦リブの側面に、第１外窓障子垂下片１３１の全スライド領域に亘って形成されている。第２外窓障子垂下片１３２と第２カバー部材１１２との間は、第２カバー部材１１２に設けられたシール部材１１７によって封止されている。シール部材１１７は、第２カバー部材１１２の上面に繋げて形成された縦リブの側面に、第２外窓障子垂下片１３２の全スライド領域に亘って形成されている。これにより、室外側で風が吹くと各外窓障子１０１、１０２の下部が各シール部材１１６、１１７に押し付けられてシールされる。
【００２４】
図２に示すように、外窓障子戸車１４は、室外側の第１外窓障子１０１の下框の内部に設けられた第１外窓障子戸車１４１と、室内側の第２外窓障子１０２の下框の内部に設けられた第２外窓障子戸車１４２とから成る。
【００２５】
外枠走行面部１５は、第１カバー部材１１１の上面に設けられ第１外窓障子戸車１４１が走行する第１外枠走行面部１５１と、第２カバー部材１１２の上面に設けられ第２外窓障子戸車１４２が走行する第２外枠走行面部１５２とから成る。図例では、第１及び第２外枠走行面部１５１、１５２は、上方に僅かに凸設されており、これに合わせて第１及び第２外窓障子戸車１４１、１４２が僅かに凹まされて形成されているが、凹凸関係を逆にしてもよい。いずれにしても凹凸の量は僅かであり、第１及び第２カバー部材１１１、１１２の上面は略平坦となっている。
【００２６】
図３に示すように、第３カバー部材１１３には、第１カバー部材１１１の第１外枠走行面部１５１の下方に位置させて、縦リブ１１８が設けられている。この縦リブ１１８は、第１外枠走行面部１５１に加わる第１外窓障子１０１の荷重を支持するものである。また、第２カバー部材１１２の縦リブの下端には、断面Ｌ字リブ１１９が設けられ、この断面Ｌ字リブ１１９と当接するようにして、下枠２２に形成された凹部２７の底面には、縦リブ１２０が設けられている。この縦リブ１２０は、第２カバー部材１１２の第２外枠走行面部１５２の下方に位置されており、第２外枠走行面部１５２に加わる第２外窓障子１０２の荷重を支持するものである。
【００２７】
また、本実施形態に係る二重サッシ装置１は、図１〜図４に示すように、二重サッシ枠５の内枠３に左右スライド可能に装着された内窓障子１０ｘと、内枠３の下枠３２の上面に略平坦に形成された内枠平坦面部１１ｘと、内枠平坦面部１１ｘに内窓障子１０ｘのスライド方向に沿って形成された内枠案内溝１２ｘと、内窓障子１０ｘに下方に延出して形成され内枠案内溝１２ｘに挿入された内窓障子垂下片１３ｘと、内窓障子１０ｘの下部に設けられた内窓障子戸車１４ｘと、内枠平坦面部１１ｘに設けられ内窓障子戸車１４ｘが走行する内枠走行面部１５ｘとを備えている。
【００２８】
内窓障子１０ｘ、内枠平坦面部１１ｘ、内枠案内溝１２ｘ、内窓障子垂下片１３ｘ、内窓障子戸車１４ｘ及び内枠走行面部１５ｘは、全て上述した外窓障子１０、外枠平坦面部１１、外枠案内溝１２、外窓障子垂下片１３、外窓障子戸車１４及び外枠走行面部１５と同様の構成となっているので、対応する構成要素には同一の符号にｘを加えたものを付して説明を省略する。
【００２９】
ここで、内枠３の下枠３２に着脱可能に装着される第１〜第３カバー部材１１１ｘ、１１２ｘ、１１３ｘは、外枠２の下枠２２に着脱可能に装着される第１〜第３カバー部材１１１、１１２、１１３と、夫々同じ形状・寸法のものが用いられており、部品の共通化による低コスト化が図られている。
【００３０】
また、本実施形態に係る二重サッシ装置１は、図２及び図３に示すように、二重サッシ枠５の中間枠４の下枠４２の上面に滑らかに形成された中間枠平坦面部４６を有する。そして、この中間枠平坦面部４６によって、外枠２の上面である外枠平坦面部１１と内枠３の上面である内枠平坦面部１１ｘとが、滑らかに接続されている。
【００３１】
図例では、外枠平坦面部１１が内枠平坦面部１１ｘよりも僅かに低く設定されているので、中間枠平坦面部４６は僅かに室外側に下がるように傾斜して形成されているが、外枠平坦面部１１と内枠平坦面部１１ｘとを同じ高さとした場合には、中間枠平坦面部４６は水平に形成されることになる。
【００３２】
また、本実施形態に係る二重サッシ装置１は、内窓障子１０ｘに結露した結露水を室外に排水するための排水機構が設けられている。以下、この排水機構を説明する。
【００３３】
図２及び図３に示すように、二重サッシ枠５を構成する内枠２、中間枠４及び外枠３の各下枠の内部には、内枠中空部３８、中間枠中空部４８、外枠中空部５８が夫々形成されている（ホロー構造）。また、外枠３３には外枠中空部５８の下方に隣接して外枠空間部２８が形成されている。内枠３の内枠平坦面部１１ｘには、内窓障子１０２ｘに結露した結露水を受けるための受水部７１が、内窓障子１０２ｘの下部の室内側端部に幅方向に沿って形成された室内側垂下片７２の下方に配置されている。受水部７１は、図例では、滑止め部材１１５ｘに設けられている。すなわち、滑止め部材１１５ｘは、垂下片７２の下方に配置されていて、上面が断面凹状に樋の如く形成されており、そこに垂下片７２から落下した結露水を受ける受水部７１が設けられている。
【００３４】
受水部７１上の結露水を内枠中空部３８に落とすため、滑止め部材１１５ｘ及び第２カバー部材１１２ｘには、上下に貫通して形成された水落し穴７３が設けられている。水落し穴７３は、意匠性を考慮して、図４に示すように、内枠３の下枠３２に取り付けられたストッパ部材７４の下方に配置されている。ストッパ部材７４は、第２カバー部材１１２ｘの端部に配置されており、第２内窓障子１０２ｘが図４にて左方に移動されたときのストッパとして機能する。
【００３５】
図３に示すように、内枠中空部３８、中間枠中空部４８及び外枠空間部２８には、内枠中空部３８内の結露水を外枠空間部２８内へ流すため、排水通路７５が形成されている（中間枠平坦面部４６が外枠２の下枠２２の室内側の側面（立上部）５５との間をシールする第２シール部材５０を有し、該第２シール部材５０と第１シール部材２５との間に上記排水通路７５が配置されている。上記外枠の下枠２２の室内側の側面（立上部）５５に上記排水通路７５を構成する排水孔５６が形成される。上記外枠の下枠２２の室内側の側面（立上部）５５は、上記中間枠平坦面部４６の室外側上面と略同じ高さとされる。）。排水通路７５は、凹部２７ｘの底面に形成された縦リブ１２０ｘの幅方向端部の一部を切り欠き、第３カバー部材１１３ｘの縦リブの一部を同様に切り欠き、中間枠中空部４８内の縦リブの一部を同様に切り欠き、外枠２の外枠中空部５８の凹部２７に穴７６を開口して構成されている。穴７６は、外枠空間部２８の天井板に形成される。
【００３６】
穴７６には、水を上方から下方に流し且つ空気を下方から上方に流さない排水弁７７が装着されている。排水弁７７は、図５（ａ）、図５（ｂ）に示すように、穴７６に装着される筒状のケーシング８０と、ケーシング８０に上下方向に沿って形成された段差付き通路８１と、段差付き通路８１の段差８２より下方に位置させて上下方向に移動可能にケーシング８０に取り付けられた弁体８３と、弁体８３の落下を押さえるためにケーシング８０に設けられたストッパ８４とを備えている。弁体８３は、上面の部分球面状部８５と、側面の円筒部８６とから成り、段差付き通路８１は、弁体８３（円筒部８６）の直径より小径の小径通路８７と、弁体８３の直径より大径の大径通路８８と、これら通路８７、８８を接続する段差（弁座）８２とから成り、段差８２は、部分球面状部８５の半径と一致する曲面に形成されている。
【００３７】
図３に戻って、外枠２の下枠２２の室外側の側面には、外枠空間部２８内の結露水を外部に排水するため、水抜き穴７８が形成されている。
【００３８】
以上の構成から成る本実施形態の作用を説明する。
【００３９】
図２に示すように、この二重サッシ枠構造１は、二重サッシ枠５の外枠２と内枠３との各下枠２２、３２の上面２４、３４が夫々平坦なノンレールサッシ構造となり、且つその外枠平坦面部１１と内枠平坦面部１１ｘとが中間枠４の中間枠平坦面部４６によって滑らかに接続されているので、バリアフリー性・清掃性・意匠性が高まる。
【００４０】
すなわち、図２及び図３に示すように、外枠２の下枠２２の上面２４は、第１カバー部材１１１と第２カバー部材１１２と第３カバー部材１１３とによって略平坦に形成された外枠平坦面部１１となっており、内枠３の下枠３２の上面３４は、第１カバー部材１１１ｘと第２カバー部材１１２ｘと第３カバー部材１１３ｘとによって略平坦に形成された内枠平坦面部１１ｘとなっており、これら外枠２の外枠平坦面部１１と内枠３の内枠平坦面部１１ｘとが、中間枠４の下枠４２の中間枠平坦面部４６によって極端な段差なく滑らかに接続されているので、高齢者や車椅子が通過する際のバリアフリー性が高まると共に、見た目の意匠性が高まる。
【００４１】
また、外窓障子１０及び内窓障子１０ｘは、上面２４、３４に夫々形成された幅の狭い外枠案内溝１２、内枠案内溝１２ｘによって夫々ガイドされるので（ノンレールサッシ構造）、従来のレールタイプと比べると、掃除機や箒等で清掃する際、引っ掛かる部材（レール）が存在しないことになり、清掃性が高まる。また、各案内溝１２、１２ｘを通って凹部２７、２７ｘ内に侵入したゴミ（塵芥）は、第１〜第３カバー部材１１１〜１１３、１１１ｘ〜１１３ｘを凹部２７、２７ｘから取り外して凹部２７、２７ｘの底面を露出させることで、掃除機等によって容易に除去できる。
【００４２】
更に、図２〜図４に示すように、内窓障子１０２ｘの室内側面に仮に結露が生じたとしても、その結露水は、垂下片７２を伝って滑止め部材１１５ｘの受水部７１に捕水され、水落し穴７３を通って内枠中空部３８に至り、排水通路７５を通って外枠空間部２８に至り、水抜き穴７８から室外側に排水される。なお、図３の矢印７９は、結露水の流れを示すものである。
【００４３】
ここで、排水通路７５の途中に設けられた排水弁７７によって、室外側の風が水抜き穴７８を通って排水通路７５を逆方向に流れて水落し穴７３から室内に吹き込むことを防止できる。すなわち、この排水弁７７によれば、通常時には、図５（ａ）に示すように、弁体８３が自重でストッパ８４に着座して弁体８３と段差８２との間に隙間が形成されるため、結露水が上方から下方に落下する。他方、室外に風が吹いてるときには、図５（ｂ）に示すように、弁体８３が水抜き穴７８（図３）から侵入した気流の風圧を受けて上昇して段差８２に押し付けられるため、風が排水通路７５を通って水落し穴７３から室内側に吹き込むことが防止される。
【００４４】
本発明は上記実施形態に限定されるものではない。
【００４５】
例えば、図２において、第１外窓障子垂下片１３１を第１外枠走行面部１５１より室内側に配置し、第２外窓障子垂下片１３２を第２外枠走行面部１５２より室外側に配置したが、両垂下片１３１、１３２の一方又は両方を各走行面部１５１、１５２に対して逆に配置してもよい。同様に、第１内窓障子垂下片１３１ｘ、第２内窓障子垂下片１３２ｘも同様の変形例が考えられる。
【００４６】
また、上記実施形態では、図３に示すように、最も室内側に位置する滑止め部材１１５ｘに受水部７２を設けた構成としたが、各滑止め部材１１４、１１５、１１４ｘ、１１５ｘを夫々受水部を設け、それら滑止め部材１１４、１１５、１１４ｘ、１１５ｘ及び第２カバー１１１、１１１ｘ、１１２、１１２ｘ部材に水落し穴７３を形成して、各障子１０１、１０２、１０１ｘ、１０２ｘに生じた結露水または各障子に付着した雨水等を室外に排出するようにしてもよい。
【００４７】
また、二重サッシ枠５を、外枠２と中間枠４と内枠３とを一体的に形成して構成してもよい。
【符号の説明】
【００４８】
１ 二重サッシ装置
２ 外枠
３ 内枠
４ 中間枠
５ 二重サッシ枠
８ 固着具
１０ 外窓障子
１０ｘ 内窓障子
１１ 外枠平坦面部
１１ｘ 内枠平坦面部
１２ 外枠案内溝
１２ｘ 内枠案内溝
１３ 外窓障子垂下片
１３ｘ 内窓障子垂下片
２２ 外枠の下枠
２４ 外枠の下枠の上面
２５ 第１シール部材
２８ 外枠空間部
３２ 内枠の下枠
３４ 内枠の下枠の上面
３８ 内枠中空部
４２ 中間枠の下枠
４６ 中間枠平坦面部
４８ 中間枠中空部
５０ 第２シール部材
５５ 外枠の下枠の室内側の側面
５６ 排水孔
７１ 受水部
７３ 水落し穴
７５ 排水通路
７８ 水抜き穴
【図１】
2011236736.tif 000003
【図２】
2011236736.tif 000004
【図３】
2011236736.tif 000005
【図４】
2011236736.tif 000006
【図５】
2011236736.tif 000007